(57)【要約】【課題】筐体内の回路等に対する動作検査を効率よく行うことが困難であった。【解決手段】フロント側部材１０の背面側の略全体を開口させ、かかる開口領域を架橋部材２０によって左右二つの開口領域に区切り、右側開口領域の縁部に対してはリア側部材３０を容易に着脱可能とし、左側開口領域の縁部に対してはリア側部材４０を容易に着脱可能とした。従って、テレビジョンキャビネット１００内に収容されている各種装置に対する動作検査を行う場合、リア側部材３０，４０を取り外すことにより、テレビジョンキャビネット１００の背面側をほぼ全開とすることができる。【選択図】図１
2007134813.tif 000002
【特許請求の範囲】
【請求項１】
キャビネットの内部にパネル型ディスプレイと同パネル型ディスプレイを駆動させて所定の映像表示を行わせるための回路を搭載した基板とを収容し、かつ、同キャビネットは背面側にてキャビネットの空間を外部に対して開放可能な構造であるパネル表示型テレビジョンにおいて、
上記キャビネットは、
上記パネル型ディスプレイの表示面を外部に露出させるための略矩形の開口部を略中央に形成した前面と、当該前面の周縁からそれぞれ背面側に向かって延出した上面と底面と左右の側面とによって構成され、背面側の略全体が開口した樹脂製のフロント側部材と、
所定の厚さを有する長板状の板金部材の両端付近を前面側に所定角度屈折させた形状であり、上端を上記フロント側部材の上面の背面側縁部の略中央位置に取り付けかつ下端を底面の背面側縁部の略中央位置に取り付けることによりフロント側部材の背面側において上面と底面との間に架設される架橋部材と、
上記架橋部材の左右の縁部と上面の背面側縁部と底面の背面側縁部と左右の側面の背面側縁部とによって囲まれて形成された同架橋部材の左右の各開口領域をそれぞれ覆う部材であって各開口領域の縁部に対して着脱可能な板金製の２つのリア側部材とからなり、
上記基板は、キャビネット内においてパネル型ディスプレイの背面側に配設されるとともに、上記左右の開口領域に対応した位置にそれぞれ配設される右側基板と左側基板とからなり、
上記架橋部材の左側縁部の略中央には右方向に向かって掘られた溝を縁部が連続する方向に沿って形成し、架橋部材の右側縁部の略中央には左方向に向かって掘られた溝を縁部が連続する方向に沿って形成し、上面の背面側縁部と底面の背面側縁部との略中央には前面側に向かって掘られた溝を縁部が連続する方向に沿って形成し、上記各リア側部材における上記架橋部材の左右の縁部と上面の背面側縁部と底面の背面側縁部とにそれぞれ相対する各部位には、相対する縁部における溝の掘られた方向に向かって突出する差込み片を対応する溝が連続する方向に沿って連続して形成し、上記左右の側面の背面側縁部にはそれぞれに３つのネジ穴を形成し、かつ上記各リア側部材における上記左右の側面の背面側縁部に対応する各部位にはそれぞれに３つのネジ穴を形成し、上記差込み片を上記溝に差し込み、かつ上記ネジ穴を用いたネジ止めを行うことにより各リア側部材を各開口領域の縁部に装着することを特徴とするパネル表示型テレビジョン。
【請求項２】
筐体の背面側にて同筐体の空間を外部に対して開放可能な構造としたテレビジョンキャビネットにおいて、
前面と上面と底面と左右の側面とから構成され背面側の略全体が開口したフロント側部材と、
上記フロント側部材の背面側において上面と底面との間に架設された架橋部材と、
上記架橋部材の左右の縁部と上面の背面側縁部と底面の背面側縁部と左右の側面の背面側縁部とによって囲まれて形成された同架橋部材の左右の各開口領域をそれぞれ覆う部材であって、フロント側部材および架橋部材の上記各縁部に対応する各部位に上記各縁部に対する固定手段をそれぞれ備えることにより各開口領域の縁部に対して着脱可能とした２つのリア側部材と、
を備えることを特徴とするテレビジョンキャビネット。
【請求項３】
上記架橋部材の左右の縁部と上面の背面側縁部と底面の背面側縁部とに溝を形成し、上記各リア側部材における上記架橋部材の左右の縁部と上面の背面側縁部と底面の背面側縁部とにそれぞれ対応する部位に差込み片を形成し、この差込み片を上記溝に差し込むことにより各リア側部材を各開口領域の縁部に装着することを特徴とする請求項２に記載のテレビジョンキャビネット。
【請求項４】
上記左右の側面の背面側縁部と上記各リア側部材における上記左右の側面の背面側縁部にそれぞれ対応する部位とにネジ穴を形成し、当該ネジ穴を用いたネジ止めを行うことにより各リア側部材を各開口領域の縁部に装着することを特徴とする請求項２または請求項３のいずれかに記載のテレビジョンキャビネット。
【発明の詳細な説明】
【技術分野】
【０００１】
本発明は、パネル表示型テレビジョンおよびテレビジョンキャビネットに関する。
【背景技術】
【０００２】
液晶テレビジョンやプラズマテレビジョンなどのパネル表示型テレビジョンを製造する場合、製品出荷前の段階において、組み立て後の製品が正常に動作するか否かの検査を行う。当該検査は、テレビジョンの筐体内に収納されている各回路や装置（回路等）に検査用の外部装置を接続し、同外部装置を操作して回路等が正常に動作するか否かを検査する。かかる検査を行うには、外部装置の接続に際して筐体の一部（基本的には、筐体の背面側）を開放する必要がある。
【０００３】
また従来技術として、バックカバー面に蓋を形成し、同バックカバー面の一部を開閉可能としたキャビネット装置が知られている（特許文献１参照。）。
さらに、左右の側面を所定角度にて折り曲げた一枚の裏蓋を、同左右の側面のそれぞれ端に形成した係合孔や鍵部を用いてキャビネットに取り付ける技術が知られている（特許文献２参照。）。
【特許文献１】特開平４‐１８８７９７号公報
【特許文献２】実開昭４８‐７５５２５号公報
【発明の開示】
【発明が解決しようとする課題】
【０００４】
液晶テレビジョンやプラズマテレビジョンでは、筐体の強度確保や、内蔵する回路等からのノイズの漏れを防止するシールド効果などの観点から、フロント側のキャビネットとリア側のキャビネットとをこれらが接触し合う多数の部位においてネジなどで強固に固定してその筐体を形成するのが一般的である。従って、上記検査を行う場合には、かかる多数のネジを外してフロント側のキャビネットとリア側のキャビネットとを分離する必要があり、極めて多くの手間を要していた。
【０００５】
一方、上記検査の対象となる回路等は筐体内の様々な位置に配設されているため、同検査の効率化を考えると、筐体の背面側においてできるだけ大きな範囲を開放することが望まれる。しかし、上述したように従来の構成ではフロント側とリア側のキャビネットを分離することは非常に煩雑であるし、上記文献１のようにバックカバー面の限られた一部の範囲しか開放されない構成では検査作業が不自由であり、結局、効率的な検査を行うことは困難であった。
【０００６】
さらに、上記文献２においては、裏蓋の周縁のうち左右両端をネジや鍵部でキャビネットに対して取り付けているだけなので、裏蓋の固定の度合いや裏蓋周縁での密封性が低い。従って、上述したような、筐体の強度やシールド効果の確保は期待できない。特に、大型化の進む液晶テレビジョンやプラズマテレビジョンにおいては、筐体の強度やシールド効果の確保は極めて重要な要素である。
【０００７】
本発明は上記課題に鑑みてなされたもので、筐体に要求される強度やシールド機能を損なうことなく、同筐体における広範囲な部分について容易に開閉することの可能なパネル表示型テレビジョンおよびテレビジョンキャビネットを提供することを目的とする。
【課題を解決するための手段】
【０００８】
上記目的を達成するために請求項２の発明は、筐体の背面側にて同筐体の空間を外部に対して開放可能な構造としたテレビジョンキャビネットにおいて、前面と上面と底面と左右の側面とから構成され背面側の略全体が開口したフロント側部材と、上記フロント側部材の背面側において上面と底面との間に架設された架橋部材と、上記架橋部材の左右の縁部と上面の背面側縁部と底面の背面側縁部と左右の側面の背面側縁部とによって囲まれて形成された同架橋部材の左右の各開口領域をそれぞれ覆う部材であって、フロント側部材および架橋部材の上記各縁部に対応する各部位に上記各縁部に対する固定手段をそれぞれ備えることにより各開口領域の縁部に対して着脱可能とした２つのリア側部材とを備える構成としてある。
【０００９】
上記請求項２においては、フロント側部材の背面側は略全体が開口されており、同背面側においてフロント側部材の上面と底面との間に架橋部材が架設されている。そのため、架橋部材の左右には、架橋部材の左右の縁部と上面の背面側縁部と底面の背面側縁部と左右の側面の背面側縁部とによって区切られた２つ開口領域が形成される。そして、２つの開口領域をそれぞれリア側部材によって覆う。各リア側部材では、フロント側部材および架橋部材の上記各縁部に対応する各部位において、上記各縁部に対する固定手段をそれぞれ備えており、かかる固定手段を用いることにより各開口領域の縁部に対して着脱可能となっている。
【００１０】
すなわち本発明によれば、２つのリア側部材を各開口領域から取り外すことで、キャビネットの背面側のほとんど全ての範囲を外部に対して開放することができる。また、各リア側部材を各開口領域に固定する場合は、リア側部材は、架橋部材の左右の縁部と上面の背面側縁部と底面の背面側縁部と左右の側面の背面側縁部といった各縁部に対して固定手段を持つため、その固定度合いおよび密封性は高い。
【００１１】
請求項３の発明では、上記架橋部材の左右の縁部と上面の背面側縁部と底面の背面側縁部とに溝を形成し、上記各リア側部材における上記架橋部材の左右の縁部と上面の背面側縁部と底面の背面側縁部とにそれぞれ対応する部位に差込み片を形成する。つまり、差込み片を上記溝に差し込むことにより、各リア側部材を各開口領域の縁部に装着することができる。差込み片を溝に挿入するだけなので、リア側部材を装着する作業も外す作業も極めれて容易である。また、溝と差込み片とが噛み合う状態となるため、キャビネットの密封性が高くシールド効果も大きく、かつ、リア側部材周縁における固定度合いも強いものとなる。
【００１２】
請求項４の発明では、上記左右の側面の背面側縁部と上記各リア側部材における上記左右の側面の背面側縁部にそれぞれ対応する部位とにネジ穴を形成している。そして、当該ネジ穴を用いたネジ止めを行うことにより、各リア側部材を各開口領域の縁部に装着する。つまり、リア側部材を固定する際に、その一部の範囲についてはネジ止めを採用することにより、リア側部材周縁における固定度合いおよび密封性を向上させるとともに、リア側部材の全方位においてネジ止めを行うわけでなないため、リア側部材の装着および外しの作業が全体として容易となる。
【００１３】
上記構成を踏まえ、請求項１の発明は、キャビネットの内部にパネル型ディスプレイと同パネル型ディスプレイを駆動させて所定の映像表示を行わせるための回路を搭載した基板とを収容し、かつ、同キャビネットは背面側にてキャビネットの空間を外部に対して開放可能な構造であるパネル表示型テレビジョンにおいて、
上記キャビネットは、上記パネル型ディスプレイの表示面を外部に露出させるための略矩形の開口部を略中央に形成した前面と、当該前面の周縁からそれぞれ背面側に向かって延出した上面と底面と左右の側面とによって構成され、背面側の略全体が開口した樹脂製のフロント側部材と、所定の厚さを有する長板状の板金部材の両端付近を前面側に所定角度屈折させた形状であり、上端を上記フロント側部材の上面の背面側縁部の略中央位置に取り付けかつ下端を底面の背面側縁部の略中央位置に取り付けることによりフロント側部材の背面側において上面と底面との間に架設される架橋部材と、上記架橋部材の左右の縁部と上面の背面側縁部と底面の背面側縁部と左右の側面の背面側縁部とによって囲まれて形成された同架橋部材の左右の各開口領域をそれぞれ覆う部材であって各開口領域の縁部に対して着脱可能な板金製の２つのリア側部材とからなり、
上記基板は、キャビネット内においてパネル型ディスプレイの背面側に配設されるとともに、上記左右の開口領域に対応した位置にそれぞれ配設される右側基板と左側基板とからなり、
上記架橋部材の左側縁部の略中央には右方向に向かって掘られた溝を縁部が連続する方向に沿って形成し、架橋部材の右側縁部の略中央には左方向に向かって掘られた溝を縁部が連続する方向に沿って形成し、上面の背面側縁部と底面の背面側縁部との略中央には前面側に向かって掘られた溝を縁部が連続する方向に沿って形成し、上記各リア側部材における上記架橋部材の左右の縁部と上面の背面側縁部と底面の背面側縁部とにそれぞれ相対する各部位には、相対する縁部における溝の掘られた方向に向かって突出する差込み片を対応する溝が連続する方向に沿って連続して形成し、上記左右の側面の背面側縁部にはそれぞれに３つのネジ穴を形成し、かつ上記各リア側部材における上記左右の側面の背面側縁部に対応する各部位にはそれぞれに３つのネジ穴を形成し、上記差込み片を上記溝に差し込み、かつ上記ネジ穴を用いたネジ止めを行うことにより各リア側部材を各開口領域の縁部に装着する構成としてある。
【００１４】
すなわち、パネル表示型テレビジョンという具体的製品においても、上記請求項２〜請求項４と同様の作用および効果を発揮する。
【発明の効果】
【００１５】
以上説明したように本発明によれば、フロント側部材の背面側を略全体にわたって開口させるとともに同背面側に架橋部材を架設することにより形成された２つの開口領域の縁部に、それぞれにリア側部材を着脱可能としたため、各リア側部材を外すことでテレビジョンキャビネットの背面側が略全開の状態となり、同キャビネット内の回路等に対する所定の検査を容易に行うことができる。
また、請求項１，３，４によれば、各リア側部材の着脱を容易に行うことができ、かつ、テレビジョンキャビネットの強度とシールド機能を高い状態に維持することができる。
【発明を実施するための最良の形態】
【００１６】
図１は、本発明にかかるテレビジョンキャビネット１００を組み立てる様子を背面斜視図により示している。
テレビジョンキャビネット１００は、液晶テレビジョンやプラズマテレビジョンなどのパネル表示型テレビジョンの筐体として用いられる。テレビジョンキャビネット１００は、フロント側部材１０と、架橋部材２０と、リア側部材３０，４０とから構成される。
かかる筐体内には、液晶パネルまたはプラズマディスプレイパネルなどのパネル型ディスプレイ６０や、上記ディスプレイを駆動させて所定の映像表示を実行させるための駆動回路や電源回路や映像処理回路やチューナ回路などの各種回路を実装した基板等、テレビジョンの機能を実現するために必要な各回路や装置（回路等）が収納される。ただし、図１では、かかる回路等の図示を省略している。
【００１７】
フロント側部材１０は、前面１４と上面１１と底面１５と右側側面１２と左側側面１３とを一体的に形成した樹脂性の部材である。前面１４の略中央には、略矩形の開口１４ａが形成されており、当該開口１４ａは、テレビジョンキャビネット１００内に収容されるパネル型ディスプレイの表示面を外部に露出させる役割を果たす。前面１４の上下左右の周縁からは、上面１１と底面１５と右側側面１２と左側側面１３とがそれぞれ背面側に向かって延設されている。かかる形状であるため、フロント側部材１０の背面側は、その略全体が開放されている。
【００１８】
フロント側部材１０の背面側には、架橋部材２０が取り付けられている。架橋部材２０は、所定の厚さを有する長板状部材の両端付近を前面側に所定角度屈折させた形状をしており、本実施形態では板金製としている。ただし、フロント側部材１０と同じ樹脂製としてもよい。架橋部材２０の一端（上端）を上面１１の背面側縁部１１ａの略中央位置に固定し、架橋部材２０の他端（下端）を底面１５の背面側縁部１５ａの略中央位置に固定している。よって、前面１４と、架橋部材２０の部位であって両端付近の両屈折部分を接続している中途部位との距離が、テレビジョンキャビネット１００の前後方向の厚みとなる。
【００１９】
架橋部材２０は、フロント側部材１０とは別部品として製造し上記のようにフロント側部材１０に取り付けるとしてもよいし、フロント側部材１０と一体的に樹脂成形するとしてもよい。
【００２０】
上記のように架橋部材２０を設けることで、フロント側部材１０の背面側であって架橋部材２０の左右にはそれぞれ、フロント側部材１０の各背面側縁部と架橋部材２０の縁部とによって区切られた開口領域が形成される。
以下においては、架橋部材２０の右側縁部２０ａと、上面１１の背面側縁部１１ａと、底面１５の背面側縁部１５ａと、右側側面１２の背面側縁部１２ａとによって囲まれた開口領域を右側開口領域と呼び、架橋部材２０の左側縁部２０ｂと上面１１の背面側縁部１１ａと、底面１５の背面側縁部１５ａと、左側側面１３の背面側縁部１３ａとによって囲まれた開口領域を左側開口領域と呼ぶ。
【００２１】
右側開口領域を囲む縁部のうち、架橋部材２０の右側縁部２０ａと上面１１の背面側縁部１１ａと底面１５の背面側縁部１５ａとの略中央には、その縁部が連続する方向に沿って所定の深さを有する溝１６を形成している。また、左側開口領域を囲む縁部のうち、架橋部材２０の左側縁部２０ｂと上面１１の背面側縁部１１ａと底面１５の背面側縁部１５ａとの略中央には、その縁部が連続する方向に沿って所定の深さを有する溝１６を形成している。上面１１の背面側縁部１１ａと底面１５の背面側縁部１５ａとの溝１６は前面側に向かって掘られている。また、架橋部材２０の右側縁部２０ａの溝１６は左方向に向かって、左側縁部２０ｂの溝１６は右方向に向かってそれぞれに掘られている。
右側開口領域を囲む縁部のうち、右側側面１２の背面側縁部１２ａには複数（図においては３つ）のネジ穴１２ｂが形成されており、一方、左側開口領域を囲む縁部のうち、左側側面１３の背面側縁部１３ａには、複数（図においては３つ）のネジ穴１３ｂが形成されている。
【００２２】
図５は、フロント側部材１０を背面側から示している。
同図に示すように、フロント側部材１０の内部には、パネル型ディスプレイ６０と、右側基板７０ａと、左側基板７０ｂとが収容される。右側基板７０ａおよび左側基板７０ｂは、上述の駆動回路や電源回路や映像処理回路やチューナ回路などの各回路の一部をそれぞれに実装した基板である。パネル型ディスプレイ６０、右側基板７０ａ、左側基板７０ｂはそれぞれ、図示しない固定手段によってフロント側部材１０内に固定されている。フロント側部材１０の内部においては、右側基板７０ａは、フロント側部材１０の背面側であって右側開口領域に対応する位置に、左側基板７０ｂは、フロント側部材１０の背面側であって左側開口領域に対応する位置にそれぞれ配設される。
【００２３】
次に、リア側部材３０，４０について説明する。リア側部材３０は、右側開口領域を覆うための部材であり、リア側部材４０は、左側開口領域を覆うための部材であり、いずれも所定の厚みを有する板金によって成形されている。リア側部材３０，４０の前後方向の奥行きは、フロント側部材１０の背面側縁部と、架橋部材２０の部位であって両端付近の両屈折部分を接続している中途部位との距離におおよそ対応する。
【００２４】
リア側部材３０における、上面１１の背面側縁部１１ａに相対する部位には、差込み片３１が連続して形成されており、底面１５の背面側縁部１５ａに相対する端部には、差込み片３２が連続して形成されている。また、リア側部材４０における、上面１１の背面側縁部１１ａに相対する端部には、差込み片４１が連続して形成されており、底面１５の背面側縁部１５ａに相対する端部には、差込み片４２が連続して形成されている。差込み片３１，３２，４１，４２は、いずれも前面側に向かって突出している。
【００２５】
また、リア側部材３０における、架橋部材２０の右側縁部２０ａに相対する部位および、リア側部材４０における、架橋部材２０の左側縁部２０ｂに相対する部位（図１において、２点鎖線で示した範囲。）を以下においてはそれぞれ差込み片３４，４４と呼ぶ。各差込み片は、リア側部材３０，４０をフロント側部材１０（および架橋部材２０）に取り付ける際に、対応する各溝１６に挿入される。
【００２６】
リア側部材３０における、右側側面１２の背面側縁部１２ａに相対する位置には、縦片３３が形成されており、縦片３３には、上記ネジ穴１２ｂに対応する各位置にネジ穴３３ａを形成している。また、リア側部材４０における、左側側面１３の背面側縁部１３ａに相対する位置には、縦片４３が形成されており、縦片４３には、上記ネジ穴１３ｂに対応する各位置にネジ穴４３ａを形成している。
【００２７】
上記のような構成とすることにより、リア側部材３０，４０をフロント側部材１０に対して着脱可能としている。
図２は、リア側部材３０，４０をフロント側部材１０に対して装着した様子を図１と同様に背面斜視図により示している。また、図３は、図２におけるＡ‐Ａ線にて前後方向に切断した際の断面図であって、差込み片３１，３２を中心とした範囲を示している。また、図４は、図２におけるＢ‐Ｂ線にて前後方向に切断した際の断面図であって架橋部材２０を中心とした範囲を示している。図３，４においても、図１と同様に、テレビジョンキャビネット１００内に収容されている回路等は省略している。
【００２８】
つまり、リア側部材３０を装着する場合は、差込み片３１を上面１１の背面側縁部１１ａの溝１６に、差込み片３２を底面１５の背面側縁部１５ａの溝１６に、差込み片３４を架橋部材２０の右側縁部２０ａの溝１６にそれぞれ挿入するとともに、ネジ穴３３ａとネジ穴１２ｂとの複数の組み合わせについてそれぞれ複数のネジ５０によってネジ止めする。
【００２９】
リア側部材４０を装着する場合は、差込み片４１を上面１１の背面側縁部１１ａの溝１６に、差込み片４２を底面１５の背面側縁部１５ａの溝１６に、差込み片４４を架橋部材２０の左側縁部２０ｂにそれぞれ挿入するとともに、ネジ穴４３ａとネジ穴１３ｂとの複数の組み合わせについてそれぞれ複数のネジ５０によってネジ止めする。なお、各差込み片３１，３２，３４，４１，４２，４４と各溝１６とは、ほぼ隙間なく嵌合しあうものとする。
このような装着行為の結果、リア側部材３０によって右側開口領域を隙間なく覆うことができ、リア側部材４０によって左側開口領域を隙間なく覆うことができる。
【００３０】
このように本発明によれば、フロント側部材１０の背面側の略全体を開口させ、かかる開口領域を架橋部材２０によって左右二つの開口領域に区切り、右側開口領域の縁部に対しては右側開口領域を覆うリア側部材３０を着脱可能とし、左側開口領域の縁部に対しては左側開口領域を覆うリア側部材４０を着脱可能とした。従って、テレビジョンキャビネット１００内に収容されている回路等に対する動作検査を行う場合にも、リア側部材３０，４０を取り外すことにより、テレビジョンキャビネット１００の背面側をほぼ全開とすることができ、作業者にとって上記検査の作業が非常に行い易くなる。
【００３１】
また、各リア側部材３０，４０を左右開口領域の縁部に対して固定する際、各リア側部材３０，４０の周縁部位のうち、右側側面１２の背面側縁部１２ａまたは左側側面１３の背面側縁部１３ａと接触する部位以外は、全て差込み片３１，３２，３４，４１，４２，４４と各溝１６と溝との嵌合による固定とし、従来と比較してテレビジョンキャビネットの組み立ての際に使用するネジ数を大きく削減した。そのため、各リア側部材３０，４０の装着および取り外しの作業が著しく簡易化され、上記検査がより効率化する。
【００３２】
さらに、上述した差込み片３１，３２，３４，４１，４２，４４と各溝１６と溝との嵌合およびネジ５０を用いてのネジ止めにより、各リア側部材３０，４０の周縁部位はその全範囲において高い密封性を確保できるため、テレビジョンキャビネット１００は、上述したような背面側における広範囲での開閉機能とともに、各リア側部材３０，４０を装着した場合には高いシールド効果を発揮する。
【００３３】
さらに、各リア側部材３０，４０は、その周縁部位であって、一部範囲については前面側に向かって掘られた溝１６に対して嵌合させつつ、これとは異なる方向に掘られた架橋部材２０の溝１６に対して他の一部範囲を嵌合させ、さらに、別の範囲をネジ止めされる。そのため、各リア側部材３０，４０は、フロント部材１０（及び架橋部材２０）に対して非常に強固に固定された状態となり、外部からの衝撃によっても外れてしまうということが極力防止される。つまり、本発明においては、上述の各効果とともに、テレビジョンキャビネット１００の強度向上という目的も達成される。
【００３４】
さらに、リア側部材３０，４０はそれぞれ別個に着脱可能である。よって、フロント側部材１０内に収容した右側基板７０ａと左側基板７０ｂとのうち、右側基板７０ａのみについて検査を実行したい場合にはリア側部材３０だけを取り外せばよいし、左側基板７０ｂのみについて検査を実行したい場合にはリア側部材４０だけを取り外せばよい。また、このように検査対象としない基板の周囲については外部に対して開放しないという手法を採れるため、本発明では、検査中における外部からキャビネット内部への塵や埃の進入を極力抑えることができる。
【図面の簡単な説明】
【００３５】
【図１】テレビジョンキャビネットを組み立てる様子を示した背面斜視図。
【図２】組み立て後のテレビジョンキャビネットの背面斜視図。
【図３】テレビジョンキャビネットの一部断面図。
【図４】テレビジョンキャビネットの一部断面図。
【図５】パネル型ディスプレイ等を内部に収容したフロント側部材の背面図。
【符号の説明】
【００３６】
１０…フロント側部材
１１…上面
１２…右側側面
１３…左側側面
１４…前面
１５…底面
１１ａ，１２ａ，１３ａ，１５ａ…背面側縁部
１２ｂ，１３ｂ，３３ａ，４３ａ…ネジ穴
１６…溝
２０…架橋部材
２０ａ…右側縁部
２０ｂ…左側縁部
３０，４０…リア側部材
３１，３２，３４，４１，４２，４４…差込み片
３３，４３…縦片
５０…ネジ
６０…パネル型ディスプレイ
７０ａ…右側基板
７０ｂ…左側基板
１００…テレビジョンキャビネット
【図１】
2007134813.tif 000003
【図２】
2007134813.tif 000004
【図３】
2007134813.tif 000005
【図４】
2007134813.tif 000006
【図５】
2007134813.tif 000007